(57)【特許請求の範囲】
【請求項１】
（ａ）床または壁などに固着された台座と、
（ｂ）該台座に上下方向に移動自在に取り付けられた第１ピストンと、
（ｃ）該第１ピストンの上部に上下方向に移動自在に取り付けられた第２ピストンと、
（ｄ）先端が下を向くように前記第２ピストンの上部に固着され、ドアに設けられる係合対象に係止しうるフックと、
（ｅ）前記第１ピストンに上方向の付勢力を与えるための付勢手段とからなり、
前記フックまたは第２ピストンの少なくとも一部に足の少なくとも一部を載せるための載置部が設けられ、
前記フックのドアに対する対向面が、上から下へ向かうにつれてドアから遠ざかる方向へ傾斜するように形成されており、
前記台座に回転自在に取り付けられた係止部を有する係止体と、前記第１ピストンに設けられた、前記係止体に当接しうる当接体と、前記第１ピストンの前記当接体よりも下方の位置に設けられた、前記係止体の係止部を係止するための突起とからなるロック機構を具備してなることを特徴とする戸当り。
【請求項２】
（ａ）床または壁などに固着された台座と、
（ｂ）該台座に上下方向に移動自在に取り付けられた第１ピストンと、
（ｃ）該第１ピストンの上部に上下方向に移動自在に取り付けられた第２ピストンと、
（ｄ）先端が下を向くように前記第２ピストンの上部に固着され、ドアに設けられる係合対象に係止しうるフックと、
（ｅ）前記第１ピストンに上方向の付勢力を与えるための付勢手段とからなり、
前記フックまたは第２ピストンの少なくとも一部に足の少なくとも一部を載せるための載置部が設けられ、
前記フックのドアに対する対向面が、上から下へ向かうにつれてドアから遠ざかる方向へ傾斜するように形成されており、
前記第１ピストンに回転自在に取り付けられた係止部を有する係止体と、前記台座に設けられた、前記係止体に当接しうる当接体と、前記台座の前記当接体よりも上方の位置に設けられた、前記係止体の係止部を係止するための突起とからなるロック機構を具備してなることを特徴とする戸当り。
【請求項３】
前記第２ピストンに下方向の付勢力を与えるための引張手段を具備してなる請求項１または２記載の戸当り。
【請求項４】
前記台座または第１ピストンの少なくとも一部に、第１ピストンが台座の上方から抜けるのを防止するための抜け止めが設けられてなる請求項１または２記載の戸当り。
【発明の詳細な説明】
【０００１】
【発明の属する技術分野】
本発明は戸当りに関する。さらに詳しくはドアを開放状態に固定する動作および固定を解除する操作をしゃがまずに足だけで容易かつ確実に行なうことができる戸当りに関する。
【０００２】
【従来の技術】
従来より、ドアが壁などに直接当たり、傷を付けたり、異音を発生したりしないように、床または壁などにおいて、ドアが開放したときにドアの下部などの部位に当接しうる位置に戸当りが設けられている。
【０００３】
さらに、従来の戸当りには、ドアを開放状態にしておくために止めリングが設けられたものがあり、かかる止めリングをドアに設けられた係合対象、たとえば、鉤付きの座金などに手で係止することにより、ドアを開放状態に固定することができる。
【０００４】
【発明が解決しようとする課題】
しかし、戸当りの止めリングを鉤付きの座金などに係止したり、または取り外すばあいには、しゃがみこみながら手を使って止めリングの操作をする必要があり、非常に手間がかかる。しかも、しゃがむ動作が困難な老人および体が不自由な人にとってはとくに過酷な作業である。また、手荷物を多く持っているばあいにもいちいち手荷物を置いたのち止めリングの操作をしなければならず、さらに手間がかかる。
【０００５】
さらに、雨降りの日などにおいては、傘を持っていて手が塞がっているばあいが多く、かつ床が濡れていてしゃがめば衣服が濡れやすいという悪条件が重なるため、ますます止めリングの操作が困難になる。
【０００６】
本発明はかかる問題を解消するためになされたものであり、ドアを開放状態に固定する動作および固定を解除する動作をしゃがまずに足だけで容易かつ確実に行なうことができる戸当りを提供することを目的とする。
【０００７】
【課題を解決するための手段】
請求項１記載の戸当りは、（ａ）床または壁などに固着された台座と、
（ｂ）該台座に上下方向に移動自在に取り付けられた第１ピストンと、
（ｃ）該第１ピストンの上部に上下方向に移動自在に取り付けられた第２ピストンと、
（ｄ）先端が下を向くように前記第２ピストンの上部に固着され、ドアに設けられる係合対象に係止しうるフックと、
（ｅ）前記第１ピストンに上方向の付勢力を与えるための付勢手段とからなり、
前記フックまたは第２ピストンの少なくとも一部に足の少なくとも一部を載せるための載置部が設けられ、
前記フックのドアに対する対向面が、上から下へ向かうにつれてドアから遠ざかる方向へ傾斜するように形成されており、
前記台座に回転自在に取り付けられた係止部を有する係止体と、前記第１ピストンに設けられた、前記係止体に当接しうる当接体と、前記第１ピストンの前記当接体よりも下方の位置に設けられた、前記係止体の係止部を係止するための突起とからなるロック機構を具備してなることを特徴としている。
【０００８】
また、請求項２記載の戸当りは、（ａ）床または壁などに固着された台座と、
（ｂ）該台座に上下方向に移動自在に取り付けられた第１ピストンと、
（ｃ）該第１ピストンの上部に上下方向に移動自在に取り付けられた第２ピストンと、
（ｄ）先端が下を向くように前記第２ピストンの上部に固着され、ドアに設けられる係合対象に係止しうるフックと、
（ｅ）前記第１ピストンに上方向の付勢力を与えるための付勢手段とからなり、
前記フックまたは第２ピストンの少なくとも一部に足の少なくとも一部を載せるための載置部が設けられ、
前記フックのドアに対する対向面が、上から下へ向かうにつれてドアから遠ざかる方向へ傾斜するように形成されており、
前記第１ピストンに回転自在に取り付けられた係止部を有する係止体と、前記台座に設けられた、前記係止体に当接しうる当接体と、前記台座の前記当接体よりも上方の位置に設けられた、前記係止体の係止部を係止するための突起とからなるロック機構を具備してなることを特徴としている。
【０００９】
前記第２ピストンに下方向の付勢力を与えるための引張手段を具備してなるのが好ましい。
【００１０】
前記台座または第１ピストンの少なくとも一部に、第１ピストンが台座の上方から抜けるのを防止するための抜け止めが設けられてなるのが好ましい。
【００１１】
請求項１記載の戸当りは、床または壁などにおいてドアが開放したときにドアの下部などの部位に当接しうる位置に台座が固着された状態で使用される。また、ドアの下部端には、前記戸当りに係合する係合対象として、たとえば、鉤付きの座金を設けておく。
【００１２】
請求項１記載の戸当りの通常の状態では、第１ピストン、第２ピストンおよびフックは、付勢手段の付勢力によって所定の上方位置へ押し上げられているため、フックは、前記ドア側の座金に係合しない。したがって、ドアを自由に開閉することができる。
【００１３】
ドアを開放状態に固定するばあいには、足を前記フックまたは第２ピストンに設けられた載置部に足を載せて第１ピストン、第２ピストンおよびフックを押し下げれば、第１ピストンの当接体が台座の係止体に当接して係止体を回転させる。そののち、足を載置部から離せば、第１ピストン、第２ピストンおよびフックは付勢手段の付勢力によって上昇する。このとき、係止体の係止部が第１ピストンにおける当接体より下方にある突起に係止されたとき、第１ピストン、第２ピストンおよびフックが所定の下方位置にロックされる。ただし、このときも第２ピストンおよびフックは、第１ピストンに対して独立して上下に移動することができる。
【００１４】
ついで、第１ピストン、第２ピストンおよびフックが前記所定の下方位置にロックされた状態で、ドア側の鉤付き座金が戸当りに当接するまでドアを開放させていけば、鉤付き座金が前記フックの傾斜したドア対向面を滑りながら第２ピストンおよびフックを押し上げるため、フックと鉤付き座金とが互いに係合することができる。これにより、ドアを開放状態に固定しておくことができる。
【００１５】
また、ドアの開放状態の固定を解除したいときには、前述と同様に足で第１ピストン、第２ピストンおよびフックを押し下げながら、フックと鉤付き座金との係合を解除する。このとき、前記当接体が前記係止体に当接して係止体をさらに回転させるため、第１ピストン、第２ピストンおよびフックのロックが解除される。そののち、ドアを閉じればよい。以上のように、ドアを開放状態に固定する動作および固定を解除する操作をしゃがまずに足だけで容易かつ確実に行なうことができる。
【００１６】
また、請求項２記載の戸当りのように、台座の下部に当接体を設け、その上部に突起を設け、一方、第１ピストンに係止体を設けたばあいでも前述と同様にドアを開放状態に固定する動作および固定を解除する操作をしゃがまずに足だけで容易かつ確実に行なうことができる。
【００１７】
【発明の実施の形態】
つぎに、図面を参照しながら、本発明の戸当りを詳細に説明する。図１は本発明の戸当りの一実施例を示す戸当りを床に取り付けて使用するばあいの状態を示す斜視説明図、図２は図１の戸当りのロック前の状態を示す断面説明図、図３は図１の戸当りのロック後の状態を示す断面説明図、図４〜５は図２の戸当りの使用方法を示すロック機構部分の工程説明図である。
【００１８】
図１〜３に示されるように、本実施例の戸当り１は、床におけるドアＤの全開位置Ｗに設けられている。また、前記戸当り１に係合する係合対象として、鉤部２ａを有する座金２がドアＤの下部端付近に設けられている。戸当り１および座金２は、ドアＤを全開にしたときに戸当り１と座金２とが互いに衝突するように配置されている。
【００１９】
本実施例の戸当りは、図２に示されるように、台座３と、該台座３に上下方向に移動自在に取り付けられた第１ピストン４と、該第１ピストン４の上部に上下方向に移動自在に取り付けられた第２ピストン５と、先端が下を向くように前記第２ピストン５の上部に固着され、ドアＤの座金２に係止しうるフック６と、前記第１ピストン４に上方向の付勢力を与えるための圧縮コイルバネ７とから構成され、さらに前記第１ピストン４、第２ピストン５およびフック６を所定の下方位置にロックするためのロック機構８を具備したものである。９は台座１を床に固着させるためのアンカーボルトである。アンカーボルト９は、ネジ（図示せず）などにより床に固着されている。台座１は、アンカーボルト９に螺合することにより、床に固着されている。
【００２０】
台座３は、有底の円筒体の形状を呈し、その底面１０には、貫通孔１１が形成されている。底部１１の上面の貫通孔１１の周囲には、つば部１２が設けられている。前記貫通孔１１およびつば部１２の内面には、前記アンカーボルト９のおねじ部９ａに螺合するためのめねじ部１３が形成されている。つば部１２の上面の外周縁には、環状の突条１２ａが突設されている。当該環状の突条１２ａによって、圧縮コイルバネ７の下端部が保持されている。
【００２１】
台座３は、通常は玄関などでドアＤの鉤付きの座金２に衝突させて使用され、かつドアＤを全開位置に固定するときには足で押圧されるため、耐衝撃性、耐錆性、耐磨耗性が要求され、ステンレス、アルミニウム、スチール、鉄、黄銅などの金属材料などによって作製される。そのうち、とくに充分な耐衝撃性、耐錆性、耐磨耗性を有するステンレスによって作製されるのが好ましい。
【００２２】
さらに、台座３の側面内側には、後述する係止体２０が回転自在に設けられている。さらに、台座３の側面内側の適宜の位置、たとえば係止体２０に対向する位置などに第１ピストン４が台座３から抜け出さないための抜け止め１５が突設されている。
【００２３】
また、台座３の外周面および底面は、耐久性を向上させるためのステンレス、アルミニウム、黄銅などの金属材料からなるカバー１４によって覆われている。
【００２４】
第１ピストン４は、前記台座３と同様の耐衝撃性、耐錆性、耐磨耗性を有する金属材料などによって作製され、外径が前記台座３の内径にほぼ等しいか、または若干小さい程度の大きさの円筒形状を呈するものである。したがって、第１ピストン４は、台座３内部に挿入されることによって、上下方向に移動自在に案内されている。第１ピストン４の外周面には、前記台座３の内面に設けられた係止体２０および抜け止め１５に係合するための溝４ａおよび溝４ｂが第１ピストン４の軸方向に沿って形成されている。第１ピストン４の内部には、前記圧縮コイルバネ７の上端部を保持するための段部４ｃが形成されている。また、第１ピストン４内部の段部４ｃよりも上方の位置には、後述する圧縮コイルバネ１６の上端部を保持するための段部４ｄが形成されている。
【００２５】
なお、本実施例では、付勢手段の例として、安価でしかも大きい付勢力を発生する圧縮コイルバネを例にあげて説明したが、本発明はこれに限定されるものではなく、上方の付勢力を与えることができるものであれば、いかなる付勢手段も採用することができる。たとえば、板バネなどを用いることもできる。
【００２６】
第２ピストン５は、前記台座３と同様の耐衝撃性、耐錆性、耐磨耗性を有する金属材料などによって作製された丸棒の形状を呈するものである。第２ピストン５の外周面の下端には、圧縮コイルバネ１６の下端部を保持するための段部５ａが形成されている。また、第２ピストン５の外周面の上端には、前記フック６の中央の開口６ｃ付近の部位と嵌合するための環状の溝５ｂが形成されている。
【００２７】
フック６は、前記台座３と同様の耐衝撃性、耐錆性、耐磨耗性を有する金属材料などによって作製された円盤形状を呈するものであり、先端部６ａが下を向くように前記第２ピストン５上部の溝５ｂに嵌合されている。しかも、前記フック６のドアＤに対する対向面６ｂが、上から下へ向かうにつれてドアＤから遠ざかる方向へ傾斜するように形成されている。
【００２８】
また、フック６の対向面６ｂのうちの先端部６ａよりも上側の部分と、フック６の上面全体または一部には、前記座金２に直接接触して衝撃を吸収する接触部１７が被覆されている。接触部１７は、衝撃吸収性、および耐磨耗性を有する材料、たとえば、ポリアセタールなどの合成樹脂、合成ゴムまたは天然ゴムなどにより作製されている。
【００２９】
さらに、フック６の上面には、キャップ１８が設けられているため、フック６の開口６ｃを覆い隠すことができる。
【００３０】
本実施例の戸当りでは、接触部１７およびキャップ１８の平坦な部分が足を載せるための載置部１９とされている。載置部１９の面積は、とくに限定されるものではないが、少なくとも足の爪先部分が当接できる程度の面積があればよい。なお、本実施例では、特別に足を載せるための載置部を設けていないが、本発明はこれに限定されるものではなく、前記フック６または第２ピストン５の少なくとも一部に足の少なくとも一部を載せるための載置部が設けられていれば、いかなる態様であってもよい。たとえば、第２ピストン５の上部に足を載置するための専用のペダルを設けたりしてもよい。
【００３１】
また、本実施例の戸当りは、前記第２ピストン５に下方向の付勢力を与えることにより、フック６と鉤部２ａとのあいだで強固な係合を達成する引張手段を具備している。引張手段は、圧縮コイルバネ１６と、該バネの下端部に当接する第２ピストン５の段部５ａと、該バネの上端部に当接する第１ピストン４の段部４ｄとから構成されている。かかる構成により、第２ピストン５に対して、圧縮コイルバネ１６の付勢力を下方に作用させることができる。なお、本実施例では、圧縮コイルバネを利用した引張手段を例にあげて説明したが、本発明はこれに限定されるものではなく、引張コイルバネの両端部をそれぞれ第１ピストン４および第２ピストン５に係止してなる引張手段などその他種々の引張手段を採用することができる。なお、引張手段がないばあいでも、第２ピストン５およびフック６の自重によって、フック６と鉤部２ａとのあいだで良好な係合を達成することができる。
【００３２】
ロック機構６は、図２〜５に示されるように、前記台座３内部に回転自在に取り付けられた係止部２０ａを有する係止体２０と、前記第１ピストン４の外周面の溝４ａに設けられた、前記係止体２０に当接しうる当接体２１と、前記第１ピストン４の外周面の溝４ａの前記当接体２１よりも下方の位置に設けられた、前記係止体２０の係止部２０ａを係止するための突起２２とから構成されている。以上のごとく構成されたロック機構８は、以下のようにして第１ピストン４、第２ピストン５およびフック６のロックを行なう。なお、図４〜５において、係止体２０は上下動せず、一方、第１ピストン４は上下動する。
【００３３】
まず、足で前記戸当り１の上部の載置部１９を押し下げれば、当接体２１が係止体２０に当接して係止体２０を回転させる（図４（ｂ）参照）。そののち、足を載置部１９から離せば、第１ピストン４、第２ピストン５およびフック６は、前記圧縮コイルバネ７の付勢力によって上昇するが、係止体２０の係止部２０ａが突起２２に係止されたときにに所定の下方位置にロックされる（図４（ｃ）参照）。さらに、もう一回、足で載置部１９を押し下げれば、図５（ａ）のように、当接体２１がさらに係止体２０を回転させることにより、第１ピストン４、第２ピストン５およびフック６のロックを解除することができる。
【００３４】
なお、図示されていないが、前記係止体２０に突設された軸部２０ｂの先端面から軸方向に沿ってバネ穴を形成し、当該バネ穴の深さよりも長い圧縮コイルバネを挿入しておくことにより、係止体２０は、圧縮コイルバネの付勢力によって、第１ピストン４の溝４ｂの内奥面に常時押圧されているため、係止体２０の係止部２０ａは、確実に当接体２１および突起２２に係合することができる。
【００３５】
つぎに、図２〜５を参照しながら本実施例の戸当りの動作方法を順に説明する。
【００３６】
まず、図２および図４（ａ）に示されるように、通常の状態では、第１ピストン４、第２ピストン５およびフック６は、圧縮コイルバネ７の付勢力によって上方へ押し上げられているため、フック６は、座金２の鉤部２ａに係合せず、接触部１７の側面と座金２とが接触するのみである。したがって、ドアＤを自由に開閉することができる。このとき、係止体２０は、溝４ａの下方に位置している。
【００３７】
ドアＤを開放状態に固定するばあいには、図３および図４（ｂ）〜（ｃ）に示されるように、足を前記載置部１９に足を載せて第１ピストン４、第２ピストン５およびフック６を押し下げれば、第１ピストン４の当接体２１が台座３の係止体２０に当接して係止体２０を反時計方向に回転させる。そののち、足を載置部１９から離せば、第１ピストン４、第２ピストン５およびフック６は圧縮コイルバネ７の付勢力によって上昇する。このとき、係止体２０の係止部２０ａが第１ピストン４における当接体２１より下方にある突起２２に係止されたとき、第１ピストン４、第２ピストン５およびフック６が所定の下方位置にロックされる。ただし、このときも第２ピストン５およびフック６は、第１ピストン４に対して独立して上下に移動することができる。このとき、フック６の対向面６ｂは、水平方向において、座金２の鉤部２ａの下端とほぼ対向する高さ（図３のｈ１の高さ）に位置する。
【００３８】
ついで、第１ピストン４、第２ピストン５およびフック６が所定の下方位置にロックされた状態で、ドアＤを前記接触部１７に当接するまで開放させていけば、座金２の鉤部２ａが前記フック６の傾斜した対向面６ｂを滑りながら第２ピストン５およびフック６を押し上げる（図３の２点鎖線の状態Ｐ）ため、フック６と鉤部２ａとが互いに係合することができる。これにより、ドアＤを開放状態に固定しておくことができる。
【００３９】
しかも、圧縮コイルバネ１６が前記第２ピストン５に下方向の付勢力を与えることにより、フック６と鉤部２ａとのあいだで強固な係合を達成することができる。
【００４０】
また、ドアＤの開放状態の固定を解除したいときには、図３および図５（ａ）〜（ｂ）に示されるように、前述と同様に足で第１ピストン４、第２ピストン５およびフック６を押し下げながら、フック６と鉤部２ａとの係合を解除し、ドアＤを閉じればよい。図５（ａ）において、第１ピストン４、第２ピストン５およびフック６が押し下げられたとき、前記当接体２１が前記係止体２０に当接して係止体２０をさらに回転させるため、第１ピストン４、第２ピストン５およびフック６のロックが解除される。このとき、第１ピストン４、第２ピストン５およびフック６は、再び図２のように所定の上方位置に復帰する。
【００４１】
なお、本実施例の戸当りでは、台座３に係止体２０を設け、一方、第１ピストン４に当接体２１および突起２２を設けた例をあげて説明したが、本発明はこれに限定されるものではない。逆のばあいとして、台座３の下部に当接体２１を設け、その上部に突起２２を設け、かつ第１ピストン４に係止体２０を設けたばあいでも前述した実施例と同様にドアを開放状態に固定する動作および固定を解除する操作をしゃがまずに足だけで容易かつ確実に行なうことができる。このばあい、当接体２１および突起２２は上下に移動しないが、係止体２０が第１ピストン４とともに上下に移動するため、係止体２０に対する当接体２１および突起２２の相対的な位置関係は図４〜５と同じになる。
【００４２】
さらに、本実施例では戸当りが床に設けられている例をあげて説明したが、本発明はこれに限定されるものではなく、ドアＤの全開位置付近に壁があるばあいには戸当りを壁に固着させてもよい。そのばあい、アンカーボルトの代わりに戸当りを床に対して垂直になるように固定させるためのＬ字形のブラケットなどを用いて壁に固着させればよい。
【００４３】
【発明の効果】
本発明によれば、ドアを開放状態に固定する動作および固定を解除する動作をしゃがまずに足だけで容易かつ確実に行なうことができる。
【００４４】
したがって、しゃがむ動作が困難な老人および体が不自由な人でも容易に戸当りの操作をすることができる。また、手荷物を多く持っているばあいにもいちいち手荷物を置かずに足だけで戸当りの操作をすることができるため、手間がかからない。
【００４５】
さらに、雨降りの日などでも傘を持ちながらしゃがまずに足だけで戸当りの操作をすることができるため、手間がかからないとともに衣服が濡れる心配もない。
【図面の簡単な説明】
【図１】本発明の戸当りの一実施例を示す戸当りをドアに取り付けて使用するばあいの状態を示す斜視説明図である。
【図２】図１の戸当りのロック前の状態を示す断面説明図である。
【図３】図１の戸当りのロック後の状態を示す断面説明図である。
【図４】図２の戸当りの使用方法を示すロック機構部分の工程説明図である。
【図５】図２の戸当りの使用方法を示すロック機構部分の工程説明図である。
【符号の説明】
１  戸当り
２  座金
２ａ  鉤部
３  台座
４  第１ピストン
５  第２ピストン
６  フック
６ａ  先端部
６ｂ  対向面
７  圧縮コイルバネ
８  ロック機構
１５  抜け止め
１６  圧縮コイルバネ
１９  載置部
２０  係止体
２０ａ  係止部
２１  当接体
２２  突起
【図１】
0003587639.tif 000002
【図２】
0003587639.tif 000003
【図３】
0003587639.tif 000004
【図４】
0003587639.tif 000005
【図５】
0003587639.tif 000006